(57)【特許請求の範囲】
【請求項１】
構内交換機と、電話機と、表示装置とを含み、
前記構内交換機は、
発信元の電話番号である発信元電話番号を含む発信要求を受信する第１受信手段と、
前記発信元電話番号に基づき、該発信元電話番号を示す発光パターンで発光させる指示を含む制御信号を生成する生成手段と、
前記制御信号を前記電話機に送信する送信手段と、を備え、
前記電話機は、
前記制御信号を受信する第２受信手段と、
前記制御信号に基づき、可視光を発光する発光手段と、を備え、
前記表示装置は、
前記可視光を受光する受光手段と、
前記可視光から前記発光パターンに対応する信号パターンを特定し、特定した信号パターンを前記発信元電話番号に変換する変換手段と、
変換された前記発信元電話番号を表示する表示制御手段と、を備える表示システムであって、
前記表示装置は、前記発信元電話番号と、前記発信元を特定する情報とを夫々関連付けて格納する記憶手段を更に備え、
前記変換手段は、変換した前記発信元電話番号に基づき、該発信元電話番号に関連付けられた前記発信元を特定する情報を前記記憶手段から取得し、
前記表示制御手段は、取得した前記発信元を特定する情報を表示する
表示システム。
【請求項２】
前記電話機は、前記発信元からの着信を通知する通知手段と、
該電話機のオフフックを検知する検知手段と、
前記通知手段が前記発信元からの着信を通知している間に、前記検知手段が前記電話機のオフフックを検知しない場合、前記制御信号に基づき、前記発光手段を制御する制御手段と、を更に備える請求項１に記載の表示システム。
【請求項３】
前記制御手段は、前記発光手段が発光している間に、前記検知手段が前記電話機のオフフックを検知した場合、前記制御信号に基づき、前記発光を停止させる請求項２に記載の表示システム。
【請求項４】
構内交換機と、電話機と、表示装置とを含む表示システムの表示方法であって、
前記構内交換機は、発信元の電話番号である発信元電話番号を含む発信要求を受信し、前記発信元電話番号に基づき、該発信元電話番号を示す発光パターンで発光させる指示を含む制御信号を生成し、前記制御信号を前記電話機に送信し、
前記電話機は、前記制御信号を受信し、前記制御信号に基づき可視光を発光し、
前記表示装置は、前記電話機から可視光を受光し、前記可視光から前記発光パターンに対応する信号パターンを特定し、特定した信号パターンを前記発信元電話番号に変換し、変換した前記発信元電話番号を表示し、前記発信元電話番号と、前記発信元を特定する情報とを夫々関連付けて格納する記憶手段から、変換した前記発信元電話番号に基づき、該発信元電話番号に関連付けられた前記発信元を特定する情報を取得し、取得した前記発信元を特定する情報を表示する
表示方法。
【請求項５】
前記電話機は、前記発信元からの着信を通知している間に、前記電話機のオフフックを検知しない場合、前記制御信号に基づき、前記可視光を発光する請求項４に記載の表示方法。
【請求項６】
前記電話機は、前記可視光を発光している間に、前記電話機のオフフックを検知した場合、前記制御信号に基づき、前記可視光の発光を停止する請求項５に記載の表示方法。
【発明の詳細な説明】
【技術分野】
【０００１】
本発明は、表示システム、構内交換機、表示方法、生成方法及びプログラムに関する。
【背景技術】
【０００２】
電話機には、ユーザの不在時に着信があった場合、ディスプレイ、スピーカ、ランプ等によってユーザの不在時に着信があったことを通知するものがある。
【０００３】
例えば、特許文献１には、ディスプレイと、メッセージウェイトランプを用いて着信があったこと及び着信元からのメッセージがあることを通知する技術が記載されている。
【先行技術文献】
【特許文献】
【０００４】
【特許文献１】特開２００５−１５９４０４号公報
【発明の概要】
【発明が解決しようとする課題】
【０００５】
しかし、特許文献１においては、例えばディスプレイを搭載しておらず、かつランプを搭載している内線電話機に対し、ユーザの不在時に着信があった場合、ランプによって例えばユーザの不在時に着信があったことを通知することはできるが、発信元の電話番号を通知することができない。
【０００６】
そこで、本発明は上記問題を鑑みたものであって、ディスプレイを搭載しておらず、かつランプを搭載している電話機であっても、発信元の電話番号を通知する技術を提供することを目的とする。
【課題を解決するための手段】
【０００７】
本発明の一形態に係る表示システムは、構内交換機と、電話機と、表示装置とを含み、前記構内交換機は、発信元の電話番号である発信元電話番号を含む発信要求を受信する第１受信手段と、前記発信元電話番号に基づき、該発信元電話番号を示す発光パターンで発光させる指示を含む制御信号を生成する生成手段と、前記制御信号を前記電話機に送信する送信手段と、を備え、前記電話機は、前記制御信号を受信する第２受信手段と、前記制御信号に基づき、可視光を発光する発光手段と、を備え、前記表示装置は、前記発光手段から可視光を受光する受光手段と、前記可視光から前記発光パターンに対応する信号パターンを特定し、特定した信号パターンを前記発信元電話番号に変換する変換手段と、変換された前記発信元電話番号を表示する表示制御手段と、を備える。
【０００８】
本発明の一形態に係る構内交換機は、発信元の電話番号である発信元電話番号を含む発信要求を受信する受信手段と、前記発信元電話番号に基づき、前記発信元電話番号を示す発光パターンで発光させる指示を含む制御信号を生成する生成手段と、前記制御信号を発信先の電話機に送信する送信手段と、を備える。
【０００９】
本発明の一形態に係る表示方法は、構内交換機と、電話機と、表示装置とを含む表示システムの表示方法であって、前記構内交換機は、発信元の電話番号である発信元電話番号を含む発信要求を受信し、前記発信元電話番号に基づき、該発信元電話番号を示す発光パターンで発光させる指示を含む制御信号を生成し、前記制御信号を前記電話機に送信し、前記電話機は、前記制御信号を受信し、前記制御信号に基づき可視光を発光し、前記表示装置は、前記発光手段から可視光を受光し、前記可視光から前記発光パターンに対応する信号パターンを特定し、特定した信号パターンを前記発信元の電話番号に変換し、変換した前記発信元の電話番号を表示する。
【００１０】
本発明の一形態に係る生成方法は、発信元の電話番号である発信元電話番号を含む発信要求を受信し、前記発信元電話番号に基づき、前記発信元電話番号を示す発光パターンで発光させる指示を含む制御信号を生成し、前記制御信号を発信先の電話機に送信する。
【００１１】
本発明の一形態に係るプログラムは、発信元の電話番号である発信元電話番号を含む発信要求を受信する受信処理と、前記発信元電話番号に基づき、前記発信元電話番号を示す発光パターンで発光させる指示を含む制御信号を生成する生成処理と、前記制御信号を発信先の電話機に送信する送信処理とをコンピュータに実行させる。
【発明の効果】
【００１２】
本発明によれば、ディスプレイを搭載しておらず、かつランプを搭載している電話機であっても、発信元の電話番号を通知することができる。
【図面の簡単な説明】
【００１３】
【図１】本発明の第１実施形態に係る表示システムの全体構成の一例を示す図である。
【図２】本発明の第１実施形態に係る表示システムの機能構成の一例を示すブロック図である。
【図３】本発明の第１実施形態に係る表示システムの動作の一例を示すフローチャートである。
【図４】本発明の第２実施形態に係る表示システムの機能構成の一例を示すブロック図である。
【図５】本発明の第２実施形態に係る表示装置の動作の一例を示すフローチャートである。
【図６】本発明の第３実施形態に係る表示システムの機能構成の一例を示すブロック図である。
【図７】本発明の各実施形態に係る構内交換機の機能構成の一例を示すブロック図である。
【図８】本発明の各実施形態に係る表示システム及び生成装置を実現する情報処理装置のハードウェア構成の一例を示すブロック図である。
【発明を実施するための形態】
【００１４】
以下、本発明の実施形態について図面を参照して詳細に説明する。
【００１５】
＜第１実施形態＞
図１は、本発明の第１実施形態における表示システム１の全体構成の一例を示す図である。図１を参照すると、表示システム１は、構内交換機１０と、電話機２０と、表示装置３０と、発信元電話機５０とを含む。構内交換機１０は、電話網に接続され、電話機２０を収容している。発信元電話機５０は、電話網を介して構内交換機１０に接続されている。また構内交換機１０と電話機２０とは、構内電話回線を介して相互に接続されている。
【００１６】
発信元電話機５０は、電話機２０に対する発信要求を、構内交換機１０に送信する。発信要求は、発信元電話機５０の番号である発信元電話番号と、電話機２０の番号である発信先電話番号とを含む。
【００１７】
構内交換機１０は、発信元電話機５０から発信要求を受信し、受信した発信要求に基づき、制御信号を生成する。制御信号については、後述する。構内交換機１０は、発信要求に含まれる発信先電話番号に基づき、電話機２０に制御信号を送信する。
【００１８】
電話機２０は、構内交換機１０からの後述される呼び出し信号に基づいて、発信元電話機５０からの着信を、例えば第１のユーザに通知する。
【００１９】
そして、電話機２０は、発信元電話機５０からの着信を通知する。また、電話機２０は、着信中にオフフックを検知しなかった場合、制御信号に基づいて、発光部２６から発信元電話番号に応じた発光パターンをもつ可視光を発光する。
【００２０】
表示装置３０は、電話機２０の発光部２６が発光した可視光を受光し、受光した可視光に基づいて、発信元電話番号を表示する。
【００２１】
図２は、本発明の第１実施形態に係る表示システム１の機能構成の一例を示すブロック図である。構内交換機１０は、受信部１１と、生成部１２と、送信部１３とを備える。なお、電話交換機能を実現するスイッチ回路は省略されている。
【００２２】
受信部１１は、例えば、発信元電話機５０から電話機２０に対する発信要求を受信する。そして、受信部１１は、受信した発信要求を生成部１２に送信する。
【００２３】
生成部１２は、受信部１１から発信要求を受信し、受信した発信要求に基づき、制御信号を生成する。制御信号は、例えば、電話機２０の発光部２６を制御する信号である。具体的に制御信号は、発信元電話番号を示す発光パターンを発光させるように電話機２０の発光部２６を制御する指示を示す情報を含む。なお、制御信号に含まれる他の情報については、後述する。
【００２４】
これにより表示システム１は、可視光通信によって、発信元電話番号を第１のユーザに通知することが可能となる。そして、生成部１２は、生成した制御信号と、発信要求に含まれる発信先電話番号とを送信部１３に送信する。
【００２５】
送信部１３は、生成部１２から制御信号と、発信先電話番号とを受信し、受信した制御信号を発信先電話番号に基づいて電話機２０に送信する。このとき、送信部１３は、着信中に電話機２０を呼び出すための呼び出し信号を制御信号とともに送信してもよい。
【００２６】
電話機２０は、受信部２１と、制御部２２と、検知部２３と、通知部２４と、通話部２５と、発光部２６と、を備える。
【００２７】
受信部２１は、送信部１３から制御信号を受信し、受信した制御信号を制御部２２に送信する。
【００２８】
また、制御部２２は、受信部２１から呼び出し信号を受信し、受信した呼び出し信号に基づき、通知部２４に発信元電話機５０からの着信を通知させる。
【００２９】
つまり、制御部２２は、呼び出し信号に基づき、通知部２４に発信元電話機５０からの着信を通知させる。例えば、通知部２４はスピーカで実現され、発信元電話機５０からの着信を音によって通知してもよい。
【００３０】
また、制御部２２は、制御信号によって、発信元電話番号を示す発光パターンを発光させるように電話機２０の発光部２６を制御する。
【００３１】
また、制御部２２は、検知部２３から電話機２０がオフフックされたことを示す通知を受信する。そして、制御部２２は、発光部２６が発光している間（発光中）に、検知部２３から、電話機２０がオフフックされたことを示す通知を受信するか否か判定する。検知部２３が発光中にオフフックを検知した場合、制御部２２は、発光部２６の発光を停止させる。
【００３２】
このように制御部２２は、制御信号に基づき発光部２６の発光を制御する。よって、制御信号は、上述したように発光部２６の発光を停止させる条件を示す情報を含んでもよい。
【００３３】
また、制御部２２は、予め発光部２６の発光を停止させる条件を図示しない記憶部に記憶し、発信元電話番号に基づき、発光部２６の発光パターンを制御してもよい。この場合、制御信号には、発信元電話番号情報が含まれていればよい。
【００３４】
また、制御部２２は、通知部２４が発信元電話機５０からの発信中に、呼び出し信号を受信して着信を通知している間（着信中）に、検知部２３から、電話機２０がオフフックされたことを示す通知を受信したか否か判定する。着信中に制御部２２が、検知部２３から電話機２０がオフフックされたことを示す通知を受信した場合、制御部２２は、受信した通知を通話部２５に送信する。
【００３５】
検知部２３は、電話機２０のオフフックを検知し、電話機２０がオフフックされたことを示す通知を制御部２２に送信する。
【００３６】
通話部２５は、例えば通話のためのマイク及びスピーカによって構成される。通話部２５は、制御部２２から通知を受信する。そして、通話部２５は、受信した通知に基づき、制御部２２及び受信部２１を介し、構内交換機１０と接続される。そして、通話部２５は、構内交換機１０を介し、発信元電話機５０と接続される。そして、例えば、電話機２０を使用する第１のユーザは、発信元電話機５０を使用する第２のユーザと通話を開始する。
【００３７】
発光部２６は、例えば、制御信号によって明滅または点滅し、可視光を発光する。つまり、発光部２６は、表示装置３０の受光部３１に可視光信号を送信する。発光部２６は、ＬＥＤ（Ｌｉｇｈｔ  Ｅｍｉｔｔｉｎｇ  Ｄｉｏｄｅ）によって実現されてもよい。
【００３８】
表示装置３０は、受光部３１と、変換部３２と、表示制御部３３と、表示部３４とを備える。
【００３９】
受光部３１は、電話機２０の発光部２６から、可視光を受光する。受光した可視光は、発信元電話番号に対応する発光パターンを有する。つまり、受光部３１は、電話機２０の発光部２６から、可視光信号を受信する。そして、受光部３１は、受光した可視光を表す可視光信号を、電気信号に変換する。具体的に、受光部３１は、フォトダイオード、照度センサ、イメージセンサ等によって実現される。そして、受光部３１は、変換した電気信号を変換部３２に送信する。したがって、電気信号の信号パターンは、発光部２６の発光パターンに対応する。
【００４０】
変換部３２は、受光部３１から電気信号を受信し、受信した電気信号を、発信元電話番号を示す発信元電話番号情報に変換し、変換した発信元電話番号情報を表示制御部３３に送信する。
【００４１】
具体的に、変換部３２は、電気信号の信号パターンを特定する。そして、変換部３２は、特定した信号パターンに対応する番号を判定することで、発信元電話番号情報を生成する。
【００４２】
表示制御部３３は、変換部３２から発信元電話番号情報を受信し、受信した発信元電話番号情報に基づき、発信元電話番号を表示部３４に表示させる。
【００４３】
図３は、本発明の第１実施形態に係る表示システム１の動作の一例を示すフローチャートである。構内交換機１０と電話機２０との間と、電話機２０と表示装置３０との間にある破線の矢印は、情報または信号の流れを示している。
【００４４】
まず、構内交換機１０の受信部１１は、例えば、発信元電話機５０から電話機２０に対する発信要求を受信する（ステップＳ１）。そして、受信部１１は、受信した発信要求を生成部１２に送信する。
【００４５】
生成部１２は、受信部１１から発信要求を受信し、受信した発信要求に基づき、制御信号を生成する（ステップＳ２）。制御信号は、電話機２０の発光部２６を制御する信号が含まれる。そして、生成部１２は、生成した制御信号を送信部１３に送信する。構内交換機１０の送信部１３は、生成部１２から制御信号を受信し、受信した制御信号を電話機２０に送信する（ステップＳ３）。
【００４６】
電話機２０の受信部２１は、送信部１３から制御信号と呼び出し信号を受信し（ステップＳ４）、受信した制御信号と呼び出し信号を制御部２２に送信する。制御部２２は、受信した呼び出し信号に基づき、通知部２４に発信元電話機５０からの着信を通知させる（ステップＳ５）。
【００４７】
制御部２２は、通知部２４が発信元電話機５０からの着信を通知している間（着信中）に、検知部２３から、電話機２０がオフフックされたことを示す通知を受信したか否か判定する。つまり、制御部２２は、着信中に、検知部２３が電話機２０のオフフックを検知したか否かを判定する（ステップＳ６）。検知部２３が着信中にオフフックを検知した場合（ステップＳ６にてＹ）、つまり、着信中に制御部２２が、検知部２３から電話機２０がオフフックされたことを示す通知を受信した場合、制御部２２は、通話部２５に対し通話を制御する。
【００４８】
そして、通話部２５は、制御部２２から通知を受信し、受信した通知に基づき、制御部２２及び受信部２１を介し、構内交換機１０と接続される。そして、通話部２５は、構内交換機１０を介し、発信元電話機５０と接続される。そして、電話機２０と、発信元電話機５０との接続が確立される（ステップＳ７）。
【００４９】
検知部２３が着信中にオフフックを検知しなかった場合（ステップＳ６にてＮ）、つまり、着信中に制御部２２が、検知部２３から電話機２０がオフフックされたことを示す通知を受信しなかった場合、制御部２２は、制御信号に基づき、表示装置３０の受光部３１が受光可能なように発光部２６を発光させる（ステップＳ８）。このとき発光パターンは、発信元電話番号に対応する。
【００５０】
また、制御部２２は、発光部２６が発光している間（発光中）に、検知部２３から、電話機２０がオフフックされたことを示す通知を受信するか否か判定する（ステップＳ９）つまり、制御部２２は、発光中に検知部２３がオフフックを検知したか否か判定する。検知部２３が発光中にオフフックを検知した場合（ステップＳ９にてＹ）、制御部２２は、発光部２６の発光を停止させる（ステップＳ１０）。検知部２３が発光中にオフフックを検知しない場合（ステップＳ８にてＮ）、制御部２２は、ステップＳ９の処理を繰り返す。
【００５１】
受光部３１は、発光部２６から可視光を受光する（ステップＳ１１）。つまり受光部３１は、電話機２０の発光部２６から可視光信号を受信する。そして、受光部３１は、可視光信号を電気信号に変換し、変換した電気信号を変換部３２に送信する。そして、変換部３２は、受光部３１から電気信号を受信し、受信した電気信号の信号パターンを特定し、特定した信号パターンを発信元電話番号に変換する（ステップＳ１２）。そして、変換部３２は、変換した発信元電話番号を表示制御部３３に送信する。
【００５２】
表示制御部３３は、変換部３２から発信元電話番号を受信し、受信した発信元電話番号を表示部３４に表示させる（ステップＳ１３）。
【００５３】
このように、構内交換機１０が、制御信号を電話機２０に送信する。そして、電話機２０は制御信号に基づいて可視光を発光する。表示装置３０は、可視光を受光し、受光した可視光から信号パターンを特定し、特定した信号パターンを発信元電話番号に変換し、変換した発信元電話番号を表示する。
【００５４】
上述した動作によって、ディスプレイを搭載しておらず、かつランプを搭載している電話機であっても、発信元の電話番号を通知することができる。
【００５５】
＜第２実施形態＞
図４は、本発明の第２実施形態に係る表示システム２の機能構成の一例を示すブロック図である。表示システム２の表示装置４０は、表示システム１の表示装置３０に、新たに記憶部３５を追加した構成となっている。記憶部３５には、発信元電話番号と、発信元の名称とが夫々関連付けられて格納されている。発信元の名称とは、例えば発信元の第２のユーザ名でもよい。発信元の名称は、発信元を特定する情報であればよい。
【００５６】
また、表示システム２の表示装置４０は、表示装置３０の変換部３２に代えて変換部４２を備える。変換部４２は、変換部３２の機能を有する。また、変換部４２は、発信元電話番号を用いて、記憶部３５から発信者の名称を取得する。なお、第２実施形態に係る構内交換機１０と、電話機２０とは、第１実施形態に係る構内交換機１０と、電話機２０と同じ機能を有するため、説明を省略する。
【００５７】
図５は、本発明の第２実施形態に係る表示装置４０の動作の一例を示すフローチャートである。まず、受光部３１は、発光部２６から可視光を受光する（ステップＳ２１）。つまり受光部３１は、電話機２０の発光部２６から可視光信号を受信する。そして、受光部３１は、可視光信号を電気信号に変換し、変換した電気信号を変換部４２に送信する。そして、変換部４２は、受光部３１から電気信号を受信し、受信した電気信号を発信元電話番号に変換する（ステップＳ２２）。
【００５８】
そして、変換部４２は、変換した発信元電話番号を用いて、記憶部３５から該発信元電話番号に関連する発信元の名称を取得する（ステップＳ２３）。そして、変換部４２は、取得した発信元の名称を表示制御部３３に送信する。
【００５９】
表示制御部３３は、変換部４２から発信元の名称を受信し、受信した発信元の名称を表示部３４に表示させる（ステップＳ２４）。
【００６０】
上述のように表示装置４０は、可視光を受光し、受光した可視光から信号パターンを特定し、特定した信号パターンを発信元電話番号に変換し、変換した発信元電話番号に関連する発信元の名称を表示するため、例えば、発信元の電話機を使用する第２のユーザを特定することができる。
【００６１】
＜第３実施形態＞
図６は、本発明の第３実施形態に係る表示システム３の機能構成の一例を示すブロック図である。本実施の形態では、本発明の課題を解決する最小の構成を有する表示システム３について説明する。したがって、以下に説明する表示システム３は、特徴部分のみを記載しているが、上述した表示システム１及び２に含まれる機能の全てを有していてもよい。
【００６２】
表示システム３は、構内交換機１０と、電話機２０と、表示装置３０とを含む。構内交換機１０は、受信部１１と、生成部１２と、送信部１３とを備える。受信部（第１受信部）１１は、発信元の電話番号である発信元電話番号を含む発信要求を受信する。生成部１２は、発信元電話番号に基づき、該発信元電話番号を示す発光パターンで発光させる指示を含む制御信号を生成する。送信部１３は、制御信号を電話機２０に送信する。
【００６３】
電話機２０は、受信部２１と、発光部２６とを備える。受信部（第２受信部）２１は、制御信号を受信する。発光部２６は、制御信号に基づき可視光を発光する。
【００６４】
表示装置３０は、受光部３１と、変換部３２と、表示制御部３３と、表示部３４とを備える。
【００６５】
受光部３１は、可視光を受光する。変換部３２は、該可視光を発信元電話番号に変換する。表示制御手段３３は、変換された発信元電話番号を表示部３４に表示する。
【００６６】
このように、構内交換機１０が、発信元電話番号に応じた発光パターンで発光させる指示を含む制御信号を電話機２０に送信する。そして、電話機２０は制御信号に基づいて可視光を発光する。表示装置３０は、可視光を受光し、受光した可視光から信号パターンを特定し、特定した信号パターンを発信元電話番号に変換し、変換した発信元電話番号を表示する。
【００６７】
上述した動作によって、ディスプレイを搭載しておらず、かつランプを搭載している電話機であっても、発信元電話番号を通知することができる。
【００６８】
図７は、本発明の各実施形態に係る構内交換機１０の機能構成の一例を示すブロック図である。本発明の各実施形態に係る構内交換機１０は、上述した表示システム１〜３に含まれる。構内交換機１０単体の動作においても、本発明の課題を解決することが可能である。
【００６９】
構内交換機１０は、受信部１１と、生成部１２と、送信部１３とを備える。受信部１１は、発信元の電話番号である発信元電話番号を含む発信要求を受信する。生成部１２は、発信元電話番号に基づき、該発信元電話番号を示す発光パターンで発光させる指示を含む制御信号を生成する。送信部１３は、制御信号を送信先の電話機に送信する。
【００７０】
上述のように構内交換機１０は、発信元電話番号に基づき、発信元電話番号を示す発光パターンで発光させる指示を含む制御信号を生成し、生成した制御信号を送信先の電話機に送信する。これによって、送信先の電話機は制御信号に基づき、可視光を発光することが可能となる。
【００７１】
＜ハードウェア構成＞
本開示の各実施形態において、各システムの各構成要素は、機能単位のブロックを示している。各システムの各構成要素の一部又は全部は、例えば図８に示すような情報処理装置９００とプログラムとの任意の組み合わせにより実現される。情報処理装置９００は、一例として、以下のような構成を含む。
【００７２】
・ＣＰＵ（Ｃｅｎｔｒａｌ  Ｐｒｏｃｅｓｓｉｎｇ  Ｕｎｉｔ）９０１
・ＲＯＭ（Ｒｅａｄ  Ｏｎｌｙ  Ｍｅｍｏｒｙ）９０２
・ＲＡＭ（Ｒａｎｄｏｍ  Ａｃｃｅｓｓ  Ｍｅｍｏｒｙ）９０３
・ＲＡＭ９０３にロードされるプログラム９０４
・プログラム９０４を格納する記憶装置９０５
・記録媒体９０６の読み書きを行うドライブ装置９０７
・通信ネットワーク９０９と接続する通信インターフェース９０８
・データの入出力を行う入出力インターフェース９１０
・各構成要素を接続するバス９１１
各実施形態における各システムの各構成要素は、これらの機能を実現するプログラム９０４をＣＰＵ９０１が取得して実行することで実現される。各システムの各構成要素の機能を実現するプログラム９０４は、例えば、予め記憶装置９０５やＲＡＭ９０３に格納されており、必要に応じてＣＰＵ９０１が読み出す。なお、プログラム９０４は、通信ネットワーク９０９を介してＣＰＵ９０１に供給されてもよいし、予め記録媒体９０６に格納されており、ドライブ装置９０７が当該プログラムを読み出してＣＰＵ９０１に供給してもよい。
【００７３】
各システムの実現方法には、様々な変形例がある。例えば、各システムは、構成要素毎にそれぞれ別個の情報処理装置９００とプログラムとの任意の組み合わせにより実現されてもよい。また、各システムが備える複数の構成要素が、一つの情報処理装置９００とプログラムとの任意の組み合わせにより実現されてもよい。
【００７４】
また、各システムの各構成要素の一部又は全部は、その他の汎用または専用の回路、プロセッサ等やこれらの組み合わせによって実現される。これらは、単一のチップによって構成されてもよいし、バスを介して接続される複数のチップによって構成されてもよい。
【００７５】
各システムの各構成要素の一部又は全部は、上述した回路等とプログラムとの組み合わせによって実現されてもよい。
【００７６】
各システムの各構成要素の一部又は全部が複数の情報処理装置や回路等により実現される場合には、複数の情報処理装置や回路等は、集中配置されてもよいし、分散配置されてもよい。例えば、情報処理装置や回路等は、クライアントアンドサーバシステム、クラウドコンピューティングシステム等、各々が通信ネットワークを介して接続される形態として実現されてもよい。
【００７７】
以上、実施形態を参照して本開示を説明したが、本開示は上記実施形態に限定されものではない。本開示の構成や詳細には、本開示のスコープ内で当業者が理解し得る様々な変更をすることができる。
【００７８】
上記の実施形態の一部又は全部は、以下の付記のようにも記載されうるが、以下には限定されない。
（付記１）
構内交換機と、電話機と、表示装置とを含み、
前記構内交換機は、
発信元の電話番号である発信元電話番号を含む発信要求を受信する第１受信手段と、
前記発信元電話番号に基づき、該発信元電話番号を示す発光パターンで発光させる指示を含む制御信号を生成する生成手段と、
前記制御信号を前記電話機に送信する送信手段と、を備え、
前記電話機は、
前記制御信号を受信する第２受信手段と、
前記制御信号に基づき、可視光を発光する発光手段と、を備え、
前記表示装置は、
前記発光手段から可視光を受光する受光手段と、
前記可視光から前記発光パターンに対応する信号パターンを特定し、特定した信号パターンを前記発信元電話番号に変換する変換手段と、
変換された前記発信元電話番号を表示する表示制御手段と、を備える表示システム。
（付記２）
前記電話機は、前記発信元からの着信を通知する通知手段と、
該電話機のオフフックを検知する検知手段と、
前記通知手段が前記発信元からの着信を通知している間に、前記検知手段が前記電話機のオフフックを検知しない場合、前記制御信号に基づき、前記発光手段を制御する制御手段と、を更に備える付記１に記載の表示システム。
（付記３）
前記制御手段は、前記発光手段が発光している間に、前記検知手段が前記電話機のオフフックを検知した場合、前記制御信号に基づき、前記発光手段の発光を停止させる付記２に記載の表示システム。
（付記４）
前記表示装置は、前記発信元電話番号と、前記発信元を特定する情報とを夫々関連付けて格納する記憶手段を更に備え、
前記変換手段は、変換した前記発信元電話番号に基づき、該発信元電話番号に関連付けられた前記発信元を特定する情報を前記記憶手段から取得し、
前記表示制御手段は、前記発信元を特定する情報を表示する付記１から３のいずれか１つに記載の表示システム。
（付記５）
発信元の電話番号である発信元電話番号を含む発信要求を受信する受信手段と、
前記発信元電話番号に基づき、前記発信元電話番号を示す発光パターンで発光させる指示を含む制御信号を生成する生成手段と、
前記制御信号を発信先の電話機に送信する送信手段と、を備える構内交換機。
（付記６）
構内交換機と、電話機と、表示装置とを含む表示システムの表示方法であって、
前記構内交換機は、発信元の電話番号である発信元電話番号を含む発信要求を受信し、前記発信元電話番号に基づき、該発信元電話番号を示す発光パターンで発光させる指示を含む制御信号を生成し、前記制御信号を前記電話機に送信し、
前記電話機は、前記制御信号を受信し、前記制御信号に基づき可視光を発光し、
前記表示装置は、前記発光手段から可視光を受光し、前記可視光から前記発光パターンに対応する信号パターンを特定し、特定した信号パターンを前記発信元電話番号に変換し、変換した前記発信元電話番号を表示する表示方法。
（付記７）
前記電話機は、前記発信元からの着信を通知している間に、前記電話機のオフフックを検知しない場合、前記制御信号に基づき、前記可視光を発光する付記６に記載の表示方法。
（付記８）
前記電話機は、前記可視光を発光している間に、前記電話機のオフフックを検知した場合、前記制御信号に基づき、前記可視光の発光を停止する付記７に記載の表示方法。
（付記９）
前記表示装置は、前記発信元電話番号と、前記発信元を特定する情報とを夫々関連付けて記憶し、前記発信元電話番号に基づき、記憶された該発信元電話番号に関連付けられた前記発信元を特定する情報を取得し、前記発信元を特定する情報を表示する付記６から８のいずれか１つに記載の表示方法。
（付記１０）
発信元の電話番号である発信元電話番号を含む発信要求を受信し、
前記発信元電話番号に基づき、前記発信元電話番号を示す発光パターンで発光させる指示を含む制御信号を生成し、
前記制御信号を発信先の電話機に送信する生成方法。
（付記１１）
発信元の電話番号である発信元電話番号を含む発信要求を受信する受信処理と、
前記発信元電話番号に基づき、前記発信元電話番号を示す発光パターンで発光させる指示を含む制御信号を生成する生成処理と、
前記制御信号を発信先の電話機に送信する送信処理とをコンピュータに実行させるプログラム。
【符号の説明】
【００７９】
１    表示システム
２    表示システム
３    表示システム
１０    構内交換機
１１    受信部
１２    生成部
１３    送信部
２０    電話機
２１    受信部
２２    制御部
２３    検知部
２４    通知部
２５    通話部
２６    発光部
３０    表示装置
３１    受光部
３２    変換部
３３    表示制御部
３４    表示部
３５    記憶部
４０    表示装置
４２    変換部
５０    発信元電話機
９００    情報処理装置
９０１    ＣＰＵ
９０２    ＲＯＭ
９０３    ＲＡＭ
９０４    プログラム
９０５    記憶装置
９０６    記録媒体
９０７    ドライブ装置
９０８    通信インターフェース
９０９    通信ネットワーク
９１０    入出力インターフェース
９１１    バス
【図１】
0006760771.tif 000002
【図２】
0006760771.tif 000003
【図３】
0006760771.tif 000004
【図４】
0006760771.tif 000005
【図５】
0006760771.tif 000006
【図６】
0006760771.tif 000007
【図７】
0006760771.tif 000008
【図８】
0006760771.tif 000009